(57)【特許請求の範囲】
【請求項１】
中央部に突起部を設け、前記突起部の先端に誤使用防止溝を形成したランプ口金を着脱自在に装着するものであって前記突起部が収納される収納凹所を有するソケット本体と、前記ランプ口金を回転して前記ソケット本体に前記ランプ口金を係合する係合手段とを有するランプソケットにおいて、前記ソケット本体は前記収納凹所内に前記ランプ口金とともに回転する回転係合部材を配設し、前記収納凹所内の底面に前記回転係合部材を貫通して前記ランプ口金の誤使用防止溝に挿入される誤使用防止リブを形成しており、
前記回転係合部材は前記誤使用防止リブを貫通するとともに前記誤使用防止リブに対して回動可能になる円弧状のスリットを有し、前記誤使用防止リブは前記ランプ口金によって過大な力を受けた場合に前記回転係合部材上に倒れて前記回転係合部材の回転を阻止することを特徴とするランプソケット。
【請求項２】
前記誤使用防止溝は一円周上に形成された一対の円弧状であり、前記円弧状のスリットは前記誤使用防止溝に対応して一対設けられ、前記誤使用防止リブは各スリットに挿通され円弧状をなす請求項１記載のランプソケット。
【発明の詳細な説明】
【０００１】
【発明の属する技術分野】
本発明は、ランプワット違い等の識別用の誤使用防止手段を有する片口金蛍光ランプ等の片口金ランプに適用するランプソケットに関するものである。
【０００２】
【従来の技術】
従来例（例えば特開平9-185978号) のランプソケットは、ランプワット違い識別のため、ランプ口金に誤使用防止リブを設け、リブが係合する溝をソケット本体の受金前面部に形成して、リブが溝に係合するときランプ口金をソケット本体に装着できるが、リブと溝があわない場合、ランプ口金をソケット本体に装着することができないので、誤使用防止になる。またソケット本体の外部から嵌合状況を容易に確認することができた。
【０００３】
【発明が解決しようとする課題】
しかし、ランプ口金の中央の突起部の先端面に誤使用防止溝を設け、ソケット本体の収容凹部内の底面に誤使用防止溝に係合するリブを設けて、誤使用防止機能を行わせた場合、ランプ挿入時に誤使用防止個所を見ることができない。そのため、異なるワットのランプ（底面に誤使用防止溝なし）が挿入された場合、ランプソケット側のリブによりランプ口金を正規の位置に装着することができない。
【０００４】
ところが、過大な力でランプ口金をソケット本体に押し込まれた場合、ソケット本体の誤使用防止リブが破損した状態で無理に取付けされる危険性がある。
【０００５】
したがって、この発明の目的は、例えば異なる定格のランプを無理に押し込まれた場合、誤使用防止リブが変形しても回転係合部材が回転しにくくなることにより、ランプ装着できないようにし、もって安全性を確保することができるランプソケットを提供することである。
【０００６】
【課題を解決するための手段】
請求項１記載のランプソケットは、中央部に突起部を設け、前記突起部の先端に誤使用防止溝を形成したランプ口金を着脱自在に装着するものであって前記突起部が収納される収納凹所を有するソケット本体と、前記ランプ口金を回転して前記ソケット本体に前記ランプ口金を係合する係合手段とを有するランプソケットにおいて、前記ソケット本体は前記収納凹所内に前記ランプ口金とともに回転する回転係合部材を配設し、前記収納凹所内の底面に前記回転係合部材を貫通して前記ランプ口金の誤使用防止溝に挿入される誤使用防止リブを形成しており、
前記回転係合部材は前記誤使用防止リブを貫通するとともに前記誤使用防止リブに対して回動可能になる円弧状のスリットを有し、前記誤使用防止リブは前記ランプ口金によって過大な力を受けた場合に前記回転係合部材上に倒れて前記回転係合部材の回転を阻止することを特徴とするものである。
【０００７】
請求項１記載のランプソケットによれば、ワット数等が適合するランプの場合、リブに誤使用防止溝が嵌合するため、ランプ口金をランプソケットに装着することができる。しかし、誤使用防止溝のない不適合のランプ口金の先端は誤使用防止リブの先端に当接し、通常ではランプ装着することができない。ランプ口金を無理に押し込んでリブを倒した場合、倒れたリブで回転係合部材の回転が規制されるので、ランプ装着することができず安全性を確保することができる。
【０００８】
請求項２記載のランプソケットは、請求項１において、前記誤使用防止溝は一円周上に形成された一対の円弧状であり、前記円弧状のスリットは前記誤使用防止溝に対応して一対設けられ、前記誤使用防止リブは各スリットに挿通され円弧状をなすものである。
【０００９】
請求項２記載のランプソケットによれば、請求項１と同様な効果がある。
【００１０】
【発明の実施の形態】
この発明の一実施の形態を図１から図５により説明する。すなわち、このランプソケットは、ソケット本体１と、係合手段２を有する。
【００１１】
ソケット本体１は、中央部に突起部３を設け、突起部３の先端に誤使用防止溝４を形成したランプ口金５を着脱自在に装着するものである。ランプ口金５は、片口金ランプのランプ口金であり、実施の形態では３本のＵ字管からなる片口金蛍光ランプ１０のランプ口金である。図３に示すように、ランプ口金５は台部２６の中央部の突起部３の先端に一対の円弧状の誤使用防止溝４を一円周上に形成し、一対の側面に口金側面突起１８を形成し、突起部３の両側の台部２６上にランプピン１２を設け、台部２６の両側に一対の誤使用防止リブ２７を形成している。
【００１２】
ソケット本体１は突起部３が収納される収納凹所６を設ける。実施の形態では、筒状の本体部１ａと、本体部１ａの底部に連結されるカバー１１と、本体部１ａの上部に配置される回転子１２とを有する。本体部１ａは例えば円筒の二重筒状であり、外筒と内筒を繋ぐ上面部２１には円弧状長孔により形成した複数のランプピン挿通孔１３と、一対の回転子係合スリット１４と、本体取付用孔部１５を形成している。内筒には回転係合部材７を係止するための係合溝１６と、口金側面突起１８が係合可能な側面突起１７を形成している。外筒の下端部にはカバー係止孔１９を形成している。さらに内筒と外筒の間にはランプピンが接触する接触部を有する速結部を有する端子３０が収納される。
【００１３】
回転子１２は上面部２１に載置されるもので、中央部に突起部３を挿通する貫通穴２３を形成し、両側にソケット側誤使用防止リブ２７が係合するソケット側誤使用防止溝２４を形成している。さらに貫通穴２３の周囲に回転子係合スリット１４に回転自在に係合する係止爪２０を下面に有し、ランプピン挿通孔１３に整合するランプピン挿入孔２２を有する。回転子１２の係止爪２０をスリット１４に係合することにより回転子１２が本体部１ａに取付けられる。
【００１４】
カバー１１は、収納凹所内６の底面に回転係合部材７を貫通してランプ口金５の誤使用防止溝４に挿入される誤使用防止リブ８を中央位置に形成している。誤使用防止リブ８はランプ口金５によって過大な圧縮方向の力を受けた場合に、冷間かしめ状に潰れる熱可塑性樹脂で形成し、潰れによって回転係合部材７の回転を阻止する。実施の形態では中央に軸３６を立設し、リブ８が断面円弧状板であり、軸３６を間にして一対相対向して立設している。またカバー１１の周縁部にカバー係止孔１９に係止する連結爪３２を形成し、また端子３０を取付ける取付部３１を形成し、端子３０に速結する電線の挿入孔を取付部３１に形成している。取付部３１に端子３０を取付け、カバー１１の連結爪３２をカバー係止孔１９に係止してカバー１１を本体部１ａに取付ける。
【００１５】
回転係合部材７は、収納凹所６内に配設され、収納凹所６内に挿入されたランプ口金５とともに回転する。実施の形態では、誤使用防止リブ８を貫通する円弧状のスリット３３を有し、両側にコ字状の係合突起３４を設けている。カバー１１を本体部１ａに取付ける際に、カバー１１の軸３６に軸孔３５を嵌合しておく。
【００１６】
係合手段２は、ランプ口金５を回転してソケット本体１にランプ口金５を係合するものである。実施の形態では、突起部３に設けた側面突起１８と、ランプ口金５の回転により側面突起１８が係止する本体側面突起１７とにより構成している。
【００１７】
図６（ａ）はランプ１０を挿入した状態であり、回転する前の状態のランプソケットの平面図である。このとき、誤使用防止リブ２７が誤使用防止溝２４に係合し、ランプピン１２がランプピン挿入孔２２に挿入され、ランプピン挿通孔２２より本体部１ａ内に進入する。また誤使用防止溝４が誤使用防止リブ８に嵌合する。さらに側面突起１８の両側が回転係合部材７のコ字状の係合突起３４内に挿入されている。
【００１８】
図６（ｂ）は同図（ａ）の状態で、ランプ１０を所定方向に回転した場合であり、これに伴って回転子１２が回転するとともに、回転係合部材７が回転する。その回転時に回転係合部材７の係合突起３４が本体部１ａの係合溝１６に嵌まり込む。また側面突起１８が本体側側面突起１７の下側に入り込み、ランプ保持される。同時にランプピン１２が端子３０の接触部に接触する。
【００１９】
図７はランプソケットに対してワット数等の異なる、不適合なランプを挿入した状態である。この場合、ランプ口金に誤使用防止溝４が形成されていない。このため突起部３の先端面が誤使用防止リブ８に突き当たるため、それ以上挿入することができない。
【００２０】
図８は、図７の状態から非適合ランプを無理やり挿入した場合である。すなわち、誤使用防止リブ８がかしめ状に変形し回転係合部材７上に潰れ倒れて回転係合部材７を押さえつける。この結果、ランプ１０を挿入することはできても、誤使用防止リブ８により回転係合部材７が回転することができないのでランプ１０が回転できず、適正に装着された使用状態にすることができない。
【００２１】
実施の形態によれば、誤使用防止リブ８を回転係合部材７を貫通させて形成したので、非適合のランプを無理やり挿入された場合にランプが装着しづらいため誤って使用されることがなく安全である。また誤使用防止リブ８が円弧状に形成されているので、倒れ方向に対して強度が確保できる。
【００２２】
【発明の効果】
請求項１記載のランプソケットによれば、ワット数等が適合するランプの場合、リブに誤使用防止溝が嵌合するため、ランプ口金をランプソケットに装着することができる。しかし、誤使用防止溝のない不適合のランプ口金の先端は誤使用防止リブの先端に当接し、通常ではランプ装着することができない。ランプ口金を無理に押し込んでリブを倒した場合、倒れたリブで回転係合部材の回転が規制されるので、ランプ装着することができず安全性を確保することができる。
【００２３】
請求項２記載のランプソケットによれば、請求項１と同様な効果がある。
【図面の簡単な説明】
【図１】この発明の一実施の形態の分解斜視図である。
【図２】ランプを外した状態のランプソケットの斜視図である。
【図３】その下方からみた斜視図である。
【図４】ランプの装着状態のランプソケットの斜視図である。
【図５】（ａ）はランプソケットの側面図、（ｂ）はそのＡ−Ａ線断面図である。
【図６】（ａ）はランプ回転前の挿入状態のランプソケットの平面図、（ｂ）は回転後の平面図である。
【図７】（ａ）は不適合ランプが挿入されたランプソケットの側面図、（ｂ）はそのＢ−Ｂ線断面図である。
【図８】（ａ）は不適合ランプを無理に挿入した状態のランプソケットの側面図、（ｂ）はそのＣ−Ｃ線断面図である。
【符号の説明】
１    ソケット本体
２    係合手段
３    突起部
４    誤使用防止溝
５    ランプ口金
６    収納凹所
７    回転係合部材
８    誤使用防止リブ
３３    スリット
【図１】
0004493240.tif 000002
【図２】
0004493240.tif 000003
【図３】
0004493240.tif 000004
【図４】
0004493240.tif 000005
【図５】
0004493240.tif 000006
【図６】
0004493240.tif 000007
【図７】
0004493240.tif 000008
【図８】
0004493240.tif 000009